(57)【要約】      （修正有）【課題】パーミング状態において釣竿が安定しやすく、特に釣竿が左右に回転しにくい両軸リール用のリールシートと釣竿を提供する。【解決手段】竿本体に固定され、上面に両軸リールのリール脚が載置される筒状のリールシート本体１０を備えた両軸リール用のリールシートであって、リールシート本体１０は、外周面の少なくとも前側部分に雄ネジ部２２が形成された円筒部２４と、該円筒部２４の後側に延設され、下面にトリガ２３が突設されている本体主部２５とを備え、本体主部２５におけるトリガ２３よりも前側の下面には、左右方向中央部から左右両側に離れる程にリールシート本体１０の中心線からの距離が大きくなる指当て下面４２が設けられている。【選択図】図６
2019024332.tif 000002
【特許請求の範囲】
【請求項１】
竿本体に固定され、上面に両軸リールのリール脚が載置される筒状のリールシート本体を備えた両軸リール用のリールシートであって、
リールシート本体は、外周面の少なくとも前側部分に雄ネジ部が形成された円筒部と、該円筒部の後側に延設され、下面にトリガが突設されている本体主部とを備え、
本体主部におけるトリガよりも前側の下面には、左右方向中央部から左右両側に離れる程にリールシート本体の中心線からの距離が大きくなる指当て下面が設けられていることを特徴とする両軸リール用のリールシート。
【請求項２】
本体主部のトリガの前側の下面には、トリガの直前に位置する指が嵌り込む横溝が形成され、指当て下面は、本体主部の前端部から横溝まで形成されている請求項１記載の両軸リール用のリールシート。
【請求項３】
横溝と指当て下面との境界線には角部が形成されている請求項２記載の両軸リール用のリールシート。
【請求項４】
指当て下面の左右両側にはそれぞれ上側ほど外側に向かう指当て傾斜面が隣接して設けられ、指当て下面と左右一対の指当て傾斜面はそれぞれ角部を境界線として区画されている請求項１乃至３の何れかに記載の両軸リール用のリールシート。
【請求項５】
請求項１乃至４の何れかに記載のリールシートを備えた釣竿。
【発明の詳細な説明】
【技術分野】
【０００１】
本発明は、釣竿に両軸リールを固定するための両軸リール用のリールシートと、該リールシートを備えた釣竿に関する。
【背景技術】
【０００２】
両軸リールは、通常、釣竿の上側に取り付けられて、例えば船釣り等で使用される。釣り人が釣竿を持ちながら釣りを行う場合、例えばジギングのような釣りにおいては、一方の手で両軸リールを取り付けた釣竿を把持し、他方の手で両軸リールのハンドルを回転させて釣りを行う。このような釣りにおいては、一方の手で両軸リールとリールシートを同時に抱え込むようにして把持する。具体的には、親指を両軸リールの一方の側壁部の上面から前面にかけてに当てて、人差し指から小指までの四本の指をリールシートの下側に周り込ませて把持する。このような把持の仕方はパーミングとも称される。
【０００３】
また、両軸リール用のリールシートの下面にはトリガが設けられている。パーミング状態において、トリガの前側には釣り人の好みや釣りの状況に応じて数本の指を位置させる。例えば、中指と薬指との間にトリガを位置させてトリガの前側に人差し指と中指の二本の指を位置させる場合や、薬指と小指との間にトリガを位置させてトリガの前側に人差し指から薬指までの三本の指を位置させる場合等がある。
【０００４】
このような両軸リールを取り付けるためのリールシートとして例えば下記特許文献１所載のものが提案されている。該リールシートではトリガとは別にその前側に突出部を設けていて、トリガの他に突出部にも指が掛かるようにしている。しかしながら、トリガや突出部によってリールシートが手に対して前後方向に位置ずれすることは防止できても、下記特許文献１の図２にも示されているように、リールシートの本体部分は円筒状であるため、リールシートの下面に回した人差し指や中指等の指がリールシートの周方向に位置ずれしやすく、釣竿がその軸線まわりに回転しやすいという問題がある。特に、大型の両軸リールを取り付けた場合には、両軸リールの側壁部の上側に位置する親指と、リールシートの下側に位置する人差し指や中指との間の距離が大きくなるため、リールシートに対して人差し指や中指が周方向に滑りやすくなり、その結果、釣竿が左右に回転しやすくなる。特にジギングにおいて釣竿のリアグリップ等を肘に当てて釣竿を上下にしゃくる動作を行う場合には、特に釣竿が左右に回転しやすくなる。
【先行技術文献】
【特許文献】
【０００５】
【特許文献１】特開２００７−２０２４０７号公報
【発明の概要】
【発明が解決しようとする課題】
【０００６】
それゆえに本発明は、パーミング状態において釣竿が安定しやすく、特に釣竿が左右に回転しにくい両軸リール用のリールシートと釣竿を提供することを課題とする。
【課題を解決するための手段】
【０００７】
本発明は上記課題を解決すべくなされたものであって、本発明に係る両軸リール用のリールシートは、竿本体に固定され、上面に両軸リールのリール脚が載置される筒状のリールシート本体を備えた両軸リール用のリールシートであって、リールシート本体は、外周面の少なくとも前側部分に雄ネジ部が形成された円筒部と、該円筒部の後側に延設され、下面にトリガが突設されている本体主部とを備え、本体主部におけるトリガよりも前側の下面には、左右方向中央部から左右両側に離れる程にリールシート本体の中心線からの距離が大きくなる指当て下面が設けられていることを特徴とする。
【０００８】
該構成の両軸リール用のリールシートにあっては、本体主部の下面に指当て下面が形成されている。該指当て下面はトリガよりも前側に位置していて、左右方向中央部から左右両側に離れる程にリールシート本体の中心線からの距離が大きくなる面によって構成されている。その面構成は、代表的には、平面、あるいは、平面に近い曲面である。その曲面は、具体的にはリールシート本体の中心線からの左右方向中央部の半径に対してそれよりも大きな曲率半径で周方向に沿って外側凸に湾曲した凸状湾曲面である。このような指当て下面が本体主部の下面であってトリガの前側に形成されていることにより、パーミング時にトリガよりも前側に位置する指を指当て下面に当接させることができる。指当て下面は、平面、あるいは、平面に近い曲面であるので、径一定の円筒面である場合に比して、指当て下面に当接させた指が周方向に滑りにくい。即ち、把持している手に対して釣竿が左右に回転しにくくなり、釣竿がぶれにくくなる。
【０００９】
特に、本体主部のトリガの前側の下面には、トリガの直前に位置する指が嵌り込む横溝が形成され、指当て下面は、本体主部の前端部から横溝まで形成されていることが好ましい。例えばトリガの前側に人差し指から薬指までの三本の指を位置させる握り方の場合、トリガの直前の横溝には薬指が嵌り込むことになる。このようにトリガの直前に横溝を設けることにより、リールシートをより一層しっかりと把持することができ、特にリールシートに対する手の前後方向の位置ずれを抑制することができる。そして、本体主部の前端部から横溝まで指当て下面が延設されているので、横溝の直前の指を指当て下面に当てることができ、リールシートに対する手の周方向の位置ずれを抑制することができる。即ち、横溝に嵌めた指とその直前の指とによって、リールシートに対する前後方向と周方向の二方向の位置ずれを効果的に抑制することができ、釣竿をぶれなくしっかりと把持することができる。
【００１０】
更に、横溝と指当て下面との境界線には角部が形成されていることが好ましい。このように、横溝と指当て下面との境界線に角部が形成されていると、釣りの最中において触感によって横溝と指当て下面との境界線を容易に認識することができる。例えば薬指と中指とで横溝とその直前の指当て下面とを容易に認識することができ、それらに両指を正確に当てて把持することができる。従って、薬指が横溝から前側に位置ずれしにくくなり、また、逆に中指も横溝に入り込みにくくなって、指当て下面に中指をしっかりと当て続けることができる。その結果、リールシートに対する前後方向と周方向の二方向の位置ずれを効果的に抑制することができる。
【００１１】
また、指当て下面の左右両側にはそれぞれ上側ほど外側に向かう指当て傾斜面が隣接して設けられ、指当て下面と左右一対の指当て傾斜面はそれぞれ角部を境界線として区画されていることが好ましい。このように指当て下面の隣に指当て傾斜面が角部を境界線として形成されていると、指当て下面に当てた指を指当て傾斜面にも当てることができる。例えば、指先から第一関節までを一方の指当て傾斜面に当て、第一関節から第二関節までを指当て下面に当て、第二関節から第三関節までを他方の指当て傾斜面に当てるようにすることができる。その際、指当て下面と左右の指当て傾斜面との間の角部を、それぞれ第一関節と第二関節に対応させることができる。従って、指当て下面と左右の指当て傾斜面とそれらの間の角部が、指の関節の折れ曲がり具合とマッチして、指の周方向の滑りを確実に防止することができる。
【００１２】
また、本発明に係る釣竿は、上記リールシートを備えたものである。
【発明の効果】
【００１３】
以上のように、リールシート本体の本体主部におけるトリガよりも前側の位置の下面に、曲率の小さい面構成の指当て下面を形成することにより、パーミング状態において釣竿が左右に回転しにくく、釣竿の安定性が向上する。
【図面の簡単な説明】
【００１４】
【図１】本発明の一実施形態における釣竿の要部正面図。
【図２】同釣竿の要部断面図。
【図３】同釣竿の要部拡大正面図。
【図４】同釣竿の要部拡大平面図。
【図５】同釣竿の要部拡大断面図。
【図６】同釣竿に使用されているリールシート本体の斜視図。
【図７】同リールシート本体の正面図。
【図８】同リールシート本体の平面図。
【図９】同リールシート本体の底面図。
【図１０】同リールシート本体の断面図。
【図１１】図１０のＡ−Ａ端面図。
【図１２】図１０のＢ−Ｂ端面図。
【図１３】同釣竿の使用状態を示す要部正面図。
【図１４】同釣竿の使用状態を示す図１１に対応した端面図。
【発明を実施するための形態】
【００１５】
以下、本発明の一実施形態に係る釣竿とそれに使用されているリールシートについて図１〜図１４を参酌しつつ説明する。尚、穂先側を前側とし竿尻側を後側とする。図１及び図２に本実施形態における釣竿の要部を示している。図１及び図２は、釣竿のうちリールシート１が装着された竿体２のみを示しており、該竿体２の前部の内側には他の竿体３（図１３参照）が挿入固定される。図３〜図５についても同様に竿体２のみを示している。リールシート１は竿体２の前部に装着され、竿体２の最後部である竿尻部にはリアグリップ４と尻栓５が装着されている。リアグリップ４はリールシート１から後側に離間して設けられており、リールシート１とリアグリップ４との間の区間は、竿体２の竿本体６が露出した状態となっている。
【００１６】
リールシート１は筒状であって、いわゆるパイプシートとも称されるものであり、竿本体６の外側に装着される。リールシート１は両軸リール７を装着するのに適したものであり、両軸リール７は通常釣竿の上側に位置した状態で使用されるため、リールシート１はその上面に両軸リール７のリール脚８を取り付けるためのリール脚載置面２０が設けられている。リールシート１は、竿本体６に装着される筒状のリールシート本体１０と、両軸リール７のリール脚８の前端部を保持する可動フード１１と、該可動フード１１を前後に移動させるためのナット１２とを備えている。尚、リールシート本体１０の後側にはリールシート本体１０の後端開口部を閉塞するための筒状の補助グリップ１３が装着されている。リアグリップ４と補助グリップ１３は例えば発泡ＥＶＡやコルク等のような滑りにくいグリップ素材から構成されている。
【００１７】
リールシート本体１０は、全体として筒状であって、その内側を竿本体６が挿通する。リールシート本体１０は、竿本体６の所定位置に取り付けられる。リールシート本体１０は竿本体６の外周面に直接接着固定されたり、竿本体６の外周面との間に筒状のスペーサ１４を介して接着固定されたりするが、本実施形態では後者の形態であって即ちリールシート本体１０は筒状のスペーサ１４を介して竿本体６の外周面に接着固定されている。筒状のスペーサ１４の個数、種類は任意であるが、本実施形態では同一のものを複数個具体的には前後に間隔をあけながら合計三個使用されている。
【００１８】
リールシート本体１０の単体を図６〜図１２に示している。リールシート本体１０は、リール脚載置面２０と固定フード部２１と雄ネジ部２２とトリガ２３とを備えている。リールシート本体１０は、全体として筒状であるが、前後二つの部分に区分される。即ち、リールシート本体１０は、リールシート本体１０の前部を構成している円筒部２４と、リールシート本体１０の後部を構成している本体主部２５とから構成されている。
【００１９】
円筒部２４は外径が略一定であって、その外周面は全体として断面円形状である。一方、本体主部２５は、外径が一定ではなく、その外周面は大部分が断面非円形状となっている。本体主部２５は円筒部２４の後側に延設されているが、円筒部２４と本体主部２５との間には前側から後側にかけて径方向外側に向かう段差部２６が形成されており、該段差部２６によって前側の円筒部２４と後側の本体主部２５とに区画されている。円筒部２４はリールシート本体１０の全長のうち略半分の長さあるいは半分よりも若干短い長さとなっており、本体主部２５は円筒部２４と同様にリールシート本体１０の全長のうち略半分の長さであるかあるいは半分よりも若干長い長さとなっており、本実施形態では円筒部２４よりも本体主部２５の方が長い。そして、円筒部２４に雄ネジ部２２を備えており、本体主部２５にリール脚載置面２０の大部分と固定フード部２１とトリガ２３を備えている。
【００２０】
円筒部２４は、その外周面の前側領域に雄ネジ部２２が形成されている。雄ネジ部２２は円筒部２４の全長のうち前側領域に形成されていて具体的には円筒部２４の前端部を含めて大部分の領域に形成されている。円筒部２４の後部外周面には雄ネジ部２２が形成されていない非ネジ領域３０が設けられている。非ネジ領域３０の外径は雄ネジ部２２のネジ部の外形と略同一である。雄ネジ部２２にはガイド溝３１，３２が前後方向に延びて形成されている。ガイド溝３１，３２は円筒部２４の前端部から後側に延びていて雄ネジ部２２の全長に亘って直線状に形成されている。該ガイド溝３１，３２によって雄ネジ部２２のネジ山が分断されている。尚、ガイド溝３１，３２は雄ネジ部２２の谷部よりも若干深い。ガイド溝３１，３２は本実施形態では上下左右に９０度間隔で合計四本形成されているが、１８０度対向して二本形成されたりしてもよい。尚、四本のガイド溝３１，３２のうち上下に位置する二本のガイド溝３１は左右の二本のガイド溝３２よりも後側に延伸されていて、非ネジ領域３０の途中まで延びている。
【００２１】
本体主部２５は、その上面の前部にリール脚載置面２０を備えていて、その上面の後部には固定フード部２１を備えている。リール脚載置面２０は、リール脚８を載置するための部分であって、該リール脚載置面２０の後側に固定フード部２１が形成されている。尚、円筒部２４との間の段差部２６は、上面の一部を除いて全周に亘って形成されている。固定フード部２１は前側に開口していて、リール脚載置面２０に載置されたリール脚８の後端部が前側から挿入される。可動フード１１と固定フード部２１がリール脚８を前後に狭持することによりリール脚８をリールシート１に固定できる。本体主部２５の上面は、固定フード部２１の開口縁部の頂上部から後側に向けて若干上昇した後、後端部にかけて徐々に下降している。トリガ２３は、その前側に指をかけるためのものであって、本体主部２５の下面から下方に向けて突設されている。トリガ２３は、本体主部２５の前後方向の中間部付近に形成されていて、固定フード部２１と上下反対側に位置している。
【００２２】
本体主部２５は、その大部分の外周面が非円形状となっているが、後端部においては円形状となっていて、上述の補助グリップ１３の外径と略同一の外径となっている。本体主部２５は、円筒部２４に対して全体として太く形成されていて、図７及び図１０に示すように上下方向の寸法は円筒部２４より大きく、図８に示すように左右方向の寸法も円筒部２４より大きい。図８のように平面視において、また、図９のような底面視において、本体主部２５の左右方向の寸法は、全体として後側に向けて次第に大きくなっていて、少なくとも前端部よりも後端部の方が大きい。本体主部２５の左右方向の寸法は、前端部から固定フード部２１の開口部にかけては徐々に大きくなっていき、固定フード部２１の左右両側の位置において一旦小さくなった後、そこから更に後端部にかけて徐々に大きくなっている。そして、リールシート本体１０の左右方向の寸法は後端部において最も大きくなっている。
【００２３】
尚、本体主部２５の後端部における左右方向の寸法は即ち後端部における外径であるが、その外径は、本体主部２５のトリガ２３よりも前側の部分において最も下側に膨らんだ箇所におけるリールシート本体１０の中心線１０ａからの距離の二倍を越えるものとなっている。リールシート本体１０の中心線１０ａは、竿本体６の中心線と一致する。本体主部２５のトリガ２３よりも前側の部分において最も下側に膨らんだ箇所を前側最下部４０と称すると、リールシート本体１０の中心線１０ａから前側最下部４０までの距離は、本体主部２５の後端部即ちリールシート本体１０の後端部の外周面の半径よりも小さい。従って、前側最下部４０は、本体主部２５の後端部の最下部よりも上側に位置することになる。尚、図１２は、前側最下部４０における断面である。
【００２４】
本体主部２５のトリガ２３の直前の下面には横溝４１が形成されている。該横溝４１は、本体主部２５の下面においては左右方向即ち周方向に延びているが、本体主部２５の左右の側面にかけては徐々に斜め後側に向かって延びていて、トリガ２３の上側の位置を後側に越えて延びている。横溝４１にはトリガ２３の直前に位置させる指が嵌り込む。横溝４１はトリガ２３の前面とは角部なく滑らかな曲面でつながっているが、横溝４１の前側に位置する面である指当て下面４２とは角部を介して区画されている。
【００２５】
本体主部２５の下面であって横溝４１の前側には指当て下面４２が形成されている。指当て下面４２は、本体主部２５の下面の左右方向（周方向）中央部を中心として左右対称形状となっている。指当て下面４２は、本体主部２５の前端部（段差部２６）から横溝４１までの全範囲に亘って形成されている。図９のように、指当て下面４２は、本体主部２５の前端部における左右方向の寸法即ち幅よりも横溝４１との境界線４３における幅の方が広く、本体主部２５の前端部から後側に向けて徐々に幅広となっている。指当て下面４２と横溝４１との境界線４３は、左右方向ないし周方向に延びる尾根状の角部となっており、この角部によって指当て下面４２と横溝４１とが区画されている。角部は小さな曲面からなる。
【００２６】
指当て下面４２は、左右方向中央部から左右両側に離れる程にリールシート本体１０の中心線１０ａからの距離が大きくなる面から構成されている。該面構成は、具体的には、平面であったり、平面に近いような大きな曲率半径を有する曲面であったりする。本実施形態では、平面に近い曲面であって、周方向に沿って外側凸に湾曲した凸状湾曲面となっている。その凸状湾曲面の曲率半径は、指当て下面４２の左右方向中央部におけるリールシート本体１０の中心線１０ａからの距離（半径）よりも大きい。従って、指当て下面４２は、左右方向中央部においてリールシート本体１０からの距離が最小となっていて、左右方向両端部においてリールシート本体１０の中心線１０ａからの距離が最大となっている。尚、図１１及び図１２のように指当て下面４２を横断する断面視において、指当て下面４２における本体主部２５の肉厚は、左右方向中央部において最も薄く、左右方向両端部において最も厚い。従って、指当て下面４２における本体主部２５の肉厚は、左右方向中央部から左右両側に離れる程に厚くなっている。
【００２７】
図７及び図１０のように、指当て下面４２は、前後方向に沿って外側凸、即ち下側凸に湾曲していてもよい。指当て下面４２の高さは、前端部において最も高く即ちリールシート本体１０からの距離が最も小さく、前端部から後側に向けて徐々に下降して低くなっていく。上述した前側最下部４０は指当て下面４２に存在しており、指当て下面４２の高さは、前端部から前側最下部４０まで徐々に低くなっていき、前側最下部４０において最も低く、そこから後端部即ち横溝４１との境界線４３まで徐々に高くなっていく。即ち、指当て下面４２と横溝４１との境界線４３は、前側最下部４０よりも後側に位置している。尚、指当て下面４２における本体主部２５の肉厚は、図１０のように、前端部から前側最下部４０にかけて徐々に厚くなっていき、前側最下部４０において最も厚く、そこから後端部にかけて徐々に薄くなっていく。また、指当て下面４２の前端部における高さは、横溝４１の最深部における高さと略等しい。このように指当て下面４２は、周方向に沿って外側凸に湾曲していると共に前後方向にも外側凸に湾曲していてよい。
【００２８】
指当て下面４２の左右両側にはそれぞれ指当て傾斜面４４が隣接して設けられている。図１１及び図１２のように、左右一対の指当て傾斜面４４は互いに対称形状となっている。指当て傾斜面４４は、上側ほど外側に向かう傾斜面であって、指当て下面４２と同様に平面あるいは平面に近い曲面から構成されていてよく、本実施形態では、周方向に沿って外側凸に湾曲した凸状湾曲面となっている。具体的には、指当て傾斜面４４は、その周方向中央部から周方向両側に離れる程にリールシート本体１０の中心線１０ａからの距離が大きくなる面によって構成されている。特に、指当て傾斜面４４におけるリールシート本体１０の中心線１０ａからの距離は、指当て下面４２との間の境界線４５から指当て傾斜面４４の周方向中央部にかけて徐々に小さくなっている。
【００２９】
指当て傾斜面４４の曲率半径は、指当て傾斜面４４の周方向中央部におけるリールシート本体１０の中心線１０ａからの距離（半径）よりも大きい。従って、指当て傾斜面４４は、周方向方向中央部においてリールシート本体１０からの距離が最小となっていて、周方向両端部（上下両端部）においてリールシート本体１０の中心線１０ａからの距離が最大となっている。図１１及び図１２のように指当て傾斜面４４を横断する断面視において、指当て傾斜面４４における本体主部２５の肉厚は、周方向中央部において最も薄く、周方向両端部において最も厚い。従って、指当て傾斜面４４における本体主部２５の肉厚は、周方向中央部から周方向両側に離れる程に厚くなっていく。
【００３０】
指当て下面４２と左右の指当て傾斜面４４との間の境界線４５は、略前後方向に延びる尾根状の角部となっており、この角部によって指当て下面４２と指当て傾斜面４４とが区画されている。角部は小さな曲面からなる。図１１及び図１２のような断面視において、指当て下面４２と指当て傾斜面４４との間の境界線４５が径方向外側に向けた角部となっていることから、リールシート本体１０の中心線１０ａからの距離は、指当て下面４２と指当て傾斜面４４との境界線４５を中心としてその両側に向けて徐々に小さくなっていく。また、本体主部２５の肉厚は、指当て下面４２と指当て傾斜面４４との間の境界線４５において厚く、そこから指当て下面４２の左右方向中央部（周方向中央部）と指当て傾斜面４４の周方向中央部に向けてそれぞれ徐々に薄くなっていく。尚、指当て傾斜面４４における本体主部２５の肉厚は、前端部から後側に向けて徐々に厚くなっていく。
【００３１】
図７のように、指当て傾斜面４４は、本体主部２５の前端部から後側に向けて延びていて、指当て下面４２と横溝４１との境界線４３近傍まで延びている。指当て傾斜面４４は、本体主部２５の前端部から指当て下面４２と横溝４１との境界線４３まで前後方向に沿って延びている。また、指当て傾斜面４４の周方向の幅は、本体主部２５の前端部から指当て下面４２と横溝４１との境界線４３まで、後側に向けて徐々に広くなっている。指当て傾斜面４４の下端部は即ち指当て傾斜面４４と指当て下面４２との境界線４５であるが、この境界線４５は高さ略一定となっている。それに対して指当て傾斜面４４の上端部４４ａは後側に向けて徐々に高くなっている。指当て傾斜面４４の上端部４４ａは、本体主部２５の前端部においては図１１のようにリールシート本体１０の中心線１０ａと略同じ高さかあるいは若干高く、前側最下部４０に対応した位置においては図１２のようにリールシート本体１０の中心線１０ａよりも高い。
【００３２】
以上のような構成のリールシート本体１０の雄ネジ部２２にナット１２が螺合している。ナット１２の外周面は例えば発泡ＥＶＡやコルク等のグリップ素材から構成されることが好ましい。ナット１２の後側に可動フード１１が位置している。図１〜図５は、ナット１２と可動フード１１が最も後側に位置した状態を示していて、その状態において可動フード１１の後端部は、本体主部２５と円筒部２４との間の段差部２６に当接あるいは若干の隙間を介して前側に対峙する。図５のように指当て下面４２の前端部の左右方向中央部の高さは、可動フード１１の最下部よりも上側に位置していて、前側最下部４０は可動フード１１の最下部と略同じ高さとなっている。
【００３３】
可動フード１１はガイド溝３１，３２に係合していてリールシート本体１０に対して前後方向に移動可能であるが回転不能である。可動フード１１は筒状であって、その全周のうちの上部に部分的に径方向外側に膨出したフード部１１ａが形成されており、そのフード部１１ａにリール脚８の前端部が後側から挿入される。ナット１２の後端部は可動フード１１の前端部に相対回転可能に係止されていて、ナット１２が回転しながら前後に移動すると、それに合わせて可動フード１１は前後に移動するものの回転はしない。ナット１２を後側に移動させることで可動フード１１を固定フード部２１に接近させることができ、可動フード１１と固定フード部２１でリール脚８を前後に狭持して固定する。逆に、ナット１２を前側に移動させると、可動フード１１は固定フード部２１から前側に離れていき、両軸リール７を釣竿から取り外すことができる。
【００３４】
以上のように構成されたリールシート１を備えた釣竿は、図１３のようにリールシート１の上面に両軸リール７を取り付けて使用される。この釣竿は、例えばジギング等の船釣りに好適である。釣り人は、両軸リール７とリールシート１を片手で抱え込むようにして把持し、他方の手で両軸リール７の図示しないハンドルを回転させる。図１３では二点鎖線で右手を示しているが、左手で把持する態様であっても無論よい。パーミング時の把持の仕方は上述のように種々あるが、図１３ではトリガ２３の前側に人差し指５１から薬指５３までを位置させてトリガ２３の後側には小指５４を位置させる持ち方としている。この場合、トリガ２３の直前の横溝４１には薬指５３が嵌り込んで位置し、指当て下面４２と指当て傾斜面４４には中指５２が当たる。人差し指５１は指当て下面４２や指当て傾斜面４４に当ててもよいが、図１３では可動フード１１に当てている。尚、図１３では可動フード１１は最も後側に位置した状態としているが、両軸リール７の大きさに対応して前側に離間した位置となる。その場合には円筒部２４の後部が露出することになり、その露出した円筒部２４の後部に人差し指５１を当てるようにしてもよい。
【００３５】
指当て下面４２は、平面、あるいは、平面に近い曲面であるので、円筒部２４のような径一定の円筒面に比して、指当て下面４２に当接させた指が周方向に滑りにくい。従って、パーミング時に釣竿が左右にぶれたり回転したりしにくくなって釣竿が安定する。特に、リアグリップ４を脇に挟まずに肘に当てるようにして釣竿を片手のみで上下にしゃくる場合に効果が大きく、釣竿が左右にぶれないことから釣竿を正確に上下動させることができる。また、大きな両軸リール７を取り付けた場合にも効果が大きい。大きな両軸リール７は重心が高くなるうえに重いために釣竿が左右にぶれやすい一方、パーミング時には親指５０と他の四本の指５１，５２，５３，５４とが上下に大きく離間するために釣竿を安定させた状態で上下動させることは容易ではないが、上記構成のように指当て下面４２に中指５２を当てることで左右方向の滑りが抑制されるので、両軸リール７とリールシート１をしっかりと把持して釣竿を操作できる。
【００３６】
また、指当て下面４２の両隣に指当て傾斜面４４がそれぞれ形成されているので、図１４のように、例えば中指５２の第一関節５２ａから先の部分が一方の指当て傾斜面４４に当たり、指当て下面４２には中指５２の第一関節５２ａから第二関節５２ｂまでの部分を当てることができ、中指５２の第二関節５２ｂから第三関節５２ｃまでの部分を他方の指当て傾斜面４４に当てることができる。このように指当て下面４２の両隣にそれぞれ曲率半径の大きい指当て傾斜面４４が設けられていることにより、より一層指の周方向の滑りが抑制されることになって、釣竿の左右のぶれを抑制できる。
【００３７】
しかも、指当て下面４２と指当て傾斜面４４との間の境界線４５には尾根状の角部が形成されているので、指当て下面４２と左右の指当て傾斜面４４との間の角部をそれぞれ第一関節５２ａと第二関節５２ｂに対応させることができる。従って、指当て下面４２と左右の指当て傾斜面４４とそれらの間の角部が中指５２の関節５２ａ，５２ｂの折れ曲がり具合とマッチして中指５２がリールシート本体１０にフィットしやすくなり、中指５２の周方向の滑りを確実に防止することができる。
【００３８】
更に、トリガ２３の直前に横溝４１が形成されているので、その横溝４１に薬指５３を嵌めてリールシート１を把持することができ、手の前後方向の位置ずれを抑制することができる。また、横溝４１まで指当て下面４２が延設されているので、横溝４１の直前の中指５２を指当て下面４２に当てることができ、リールシート１に対する手の周方向の位置ずれを中指５２で抑制すると同時に前後方向の位置ずれを薬指５３と小指５４で防止できる。つまり、リールシート１に対する手の前後方向と周方向の二方向の位置ずれを効果的に抑制することができる。従って、釣竿をしっかりと把持して上下動させることができる。
【００３９】
しかも、横溝４１と指当て下面４２との境界線４３には尾根状の角部が形成されているので、横溝４１と指当て下面４２との境界線４３を目視確認することなく触覚によって容易に把握することができる。特に、指当て下面４２の位置を触覚によって容易に把握できる。従って、釣りの最中においても、指当て下面４２に中指５２を正確に位置させることができる。
【符号の説明】
【００４０】
１    リールシート
２    竿体
３    竿体
４    リアグリップ
５    尻栓
６    竿本体
７    両軸リール
８    リール脚
１０    リールシート本体
１０ａ  中心線
１１    可動フード
１１ａ  フード部
１２    ナット
１３    補助グリップ
１４    スペーサ
２０    リール脚載置面
２１    固定フード部
２２    雄ネジ部
２３    トリガ
２４    円筒部
２５    本体主部
２６    段差部
３０    非ネジ領域
３１    上下のガイド溝
３２    左右のガイド溝
４０    前側最下部
４１    横溝
４２    指当て下面
４３    指当て下面と横溝の境界線
４４    指当て傾斜面
４４ａ  上端部
４５    指当て下面と指当て傾斜面の境界線
５０    親指
５１    人差し指
５２    中指
５２ａ  第一関節
５２ｂ  第二関節
５３    薬指
５４    小指
【図１】
2019024332.tif 000003
【図２】
2019024332.tif 000004
【図３】
2019024332.tif 000005
【図４】
2019024332.tif 000006
【図５】
2019024332.tif 000007
【図６】
2019024332.tif 000008
【図７】
2019024332.tif 000009
【図８】
2019024332.tif 000010
【図９】
2019024332.tif 000011
【図１０】
2019024332.tif 000012
【図１１】
2019024332.tif 000013
【図１２】
2019024332.tif 000014
【図１３】
2019024332.tif 000015
【図１４】
2019024332.tif 000016